(57)【要約】【課題】印刷の実行が中断した場合に、途中のページを欠落させることなく印刷を再開することが可能な情報処理システム、情報処理装置及びプログラムを提供する。【解決手段】情報処理システムは、印刷の実行中に印刷を中断する中断指示により印刷が中断したときに、該印刷の出力の状況を示す出力状況情報を記憶する記憶手段と、中断した印刷を再開するよう指示する再開指示を受信する受信手段と、記憶手段から出力状況情報を取得する取得手段と、受信手が前記再開指示を受信したとき、取得された出力状況情報に応じて特定されるページから、中断している印刷を実行する実行手段を備える。【選択図】図２
2020170212.tif 000002
【特許請求の範囲】
【請求項１】
印刷の実行中に前記印刷を中断する中断指示により前記印刷が中断したときに、前記印刷の出力の状況を示す出力状況情報を記憶する記憶手段と、
中断した前記印刷を再開するよう指示する再開指示を受信する受信手段と、
前記記憶手段から前記出力状況情報を取得する取得手段と、
前記受信手段が前記再開指示を受信したとき、取得された前記出力状況情報に応じて特定される特定のページから、中断している前記印刷を実行する実行手段と、
を備える、情報処理システム。
【請求項２】
前記印刷が実行された用紙を排紙する排紙手段をさらに備え、
前記記憶手段は、前記用紙が前記排出手段から持ち出されたときに、排出された前記用紙のうちの最後のページを識別する情報を、前記出力状況情報として記憶する、
請求項１に記載の情報処理システム。
【請求項３】
前記用紙が前記排出手段から持ち出されたことを検知する検知手段をさらに備える、
請求項２に記載の情報処理システム。
【請求項４】
中断した前記印刷を実行するときに、前記特定のページを表示するよう制御する、
請求項１から３のいずれか１項に記載の情報処理システム。
【請求項５】
表示された前記特定のページを別のページに変更する変更手段をさらに備え、
前記実行手段は、変更後の前記別のページから、中断している前記印刷を実行する、
請求項４に記載の情報処理システム。
【請求項６】
印刷の実行中に前記印刷を中断する中断指示により前記印刷が中断した後に、中断した前記印刷の出力の状況を示す出力状況情報に応じて特定される特定のページから前記印刷を実行する実行手段
を備える、情報処理装置。
【請求項７】
コンピュータを
印刷の実行中に前記印刷を中断する中断指示により前記印刷が中断したときに、前記印刷の出力の状況を示す出力状況情報を記憶する記憶手段と、
中断した前記印刷を再開するよう指示する再開指示を受信する受信手段と、
前記記憶手段から前記出力状況情報を取得する取得手段と、
前記受信手段が前記再開指示を受信したとき、取得された前記出力状況情報に応じて特定される特定のページから、中断している前記印刷を実行する実行手段
として機能させるためのプログラム。
【発明の詳細な説明】
【技術分野】
【０００１】
本発明は、情報処理システム、情報処理装置及びプログラムに関する。
【背景技術】
【０００２】
ジョブの中断・再開を行う際の操作性を改善して利便性を向上させることのできる画像処理装置が提案されている（例えば、特許文献１参照。）。
【０００３】
特許文献１に記載された画像処理装置は、前記携帯情報端末から端末識別情報を取得する端末識別情報取得手段と、実行中又は未実行のジョブのジョブ識別情報と該ジョブを入力したユーザのユーザ識別情報とを対応付けた待機ジョブ管理テーブルを記憶する待機ジョブ管理テーブル記憶手段と、前記端末識別情報取得手段で端末識別情報が取得されると、該端末識別情報に予め対応付けられたユーザ識別情報を検出するとともに、該ユーザ識別情報に対応するジョブ識別情報を前記待機ジョブ管理テーブルに基づき検出し、当該ジョブ識別情報に対応する実行中又は未実行のジョブを中断状態に設定するジョブ中断手段と、前記ジョブ中断手段により中断状態に設定された中断ジョブのジョブ識別情報と前記端末識別情報取得手段で取得された端末識別情報とを対応付けた中断ジョブ管理テーブルを生成する中断ジョブ管理テーブル生成手段と、前記端末識別情報取得手段による端末識別情報の取得を条件として、前記中断ジョブ管理テーブルに基づき当該端末識別情報に対応する中断ジョブを検出し、該中断ジョブの中断状態を解除するジョブ中断解除手段と、を備えている。
【先行技術文献】
【特許文献】
【０００４】
【特許文献１】特許第６１０７２７９号公報
【発明の概要】
【発明が解決しようとする課題】
【０００５】
本発明の課題は、実行中に中断した印刷を再開させるときに、ページの欠落や重複を抑制することが可能な情報処理システム、情報処理装置及びプログラムを提供することにある。
【課題を解決するための手段】
【０００６】
［１］印刷の実行中に前記印刷を中断する中断指示により前記印刷が中断したときに、前記印刷の出力の状況を示す出力状況情報を記憶する記憶手段と、
中断した前記印刷を再開するよう指示する再開指示を受信する受信手段と、
前記記憶手段から前記出力状況情報を取得する取得手段と、
前記受信手段が前記再開指示を受信したとき、取得された前記出力状況情報に応じて特定される特定のページから、中断している前記印刷を実行する実行手段と、
を備える、情報処理システム。
［２］前記印刷が実行された用紙を排紙する排紙手段をさらに備え、
前記記憶手段は、前記用紙が前記排出手段から持ち出されたときに、排出された前記用紙のうちの最後のページを識別する情報を、前記出力状況情報として記憶する、
前記［１］に記載の情報処理システム。
［３］前記用紙が前記排出手段から持ち出されたことを検知する検知手段をさらに備える、
前記［２］に記載の情報処理システム。
［４］中断した前記印刷を実行するときに、前記特定のページを表示するよう制御する、
前記［１］から［３］のいずれか１つに記載の情報処理システム。
［５］表示された前記特定のページを別のページに変更する変更手段をさらに備え、
前記実行手段は、変更後の前記別のページから、中断している前記印刷を実行する、
前記［４］に記載の情報処理システム。
［６］印刷の実行中に前記印刷を中断する中断指示により前記印刷が中断した後に、中断した前記印刷の出力の状況を示す出力状況情報に応じて特定される特定のページから前記印刷を実行する実行手段
を備える、情報処理装置。
［７］コンピュータを
印刷の実行中に前記印刷を中断する中断指示により前記印刷が中断したときに、前記印刷の出力の状況を示す出力状況情報を記憶する記憶手段と、
中断した前記印刷を再開するよう指示する再開指示を受信する受信手段と、
前記記憶手段から前記出力状況情報を取得する取得手段と、
前記受信手段が前記再開指示を受信したとき、取得された前記出力状況情報に応じて特定される特定のページから、中断している前記印刷を実行する実行手段
として機能させるためのプログラム。
【発明の効果】
【０００７】
請求項１〜７に係る発明によれば、実行中に中断した印刷を再開させるときに、ページの欠落や重複を抑制することができる。
【図面の簡単な説明】
【０００８】
【図１】図１は、本発明の実施の形態に係る画像形成システムの構成の一例を示す図である。
【図２】図２は、図１に示す画像形成装置の制御系の一例を示すブロック図である。
【図３】図３は、ジョブを選択する選択画面の一例であり、（ａ）は、中断するジョブを選択する中断ジョブ選択画面、（ｂ）は、再開するジョブを選択する再開ジョブ選択画面である。
【図４】図４は、ジョブ管理情報テーブルの一例を示す図である。
【図５】図５は、図１に示す画像形成装置のジョブの中断の動作の一例を示すフローチャートである。
【図６】図６は、図１に示す画像形成装置のジョブの再開の動作の一例を示すフローチャートである。
【図７】図７は、図１に示す画像形成装置の動作に係る信号の一例を模式的に示すタイミングチャートである。
【発明を実施するための形態】
【０００９】
以下、本発明の実施の形態について図面を参照して説明する。なお、各図中、実質的に同一の構成要素については、同一の符号を付してその重複した説明を省略する。以下、情報処理システムとして画像形成システムを例に説明するが、情報処理システムは画像形成システムに限られない。また、情報処理装置として画像形成装置を例に説明するが、情報処理装置は画像形成装置に限られない。
【００１０】
［実施の形態］
図１は、本発明の実施の形態に係る画像形成システムの構成の一例を示す図である。この画像形成システム１は、画像形成装置２と、サーバ装置３と、端末装置４と、を有して構成されている。画像形成装置２、サーバ装置３及び端末装置４は、ネットワーク５を介して互いに接続されている。
【００１１】
画像形成システム１は、情報処理システムの一例である。画像形成装置２は、情報処理装置の一例である。なお、図１は、画像形成装置２と、サーバ装置３と、端末装置４とをそれぞれ１台ずつ備える画像形成システム１を例に示しているが、各装置の台数は１台に限られるものではない。
【００１２】
画像形成装置２は、例えば、スキャン機能、プリンタ機能、コピー機能、ファクシミリ機能、電子メール機能等の複数の機能を有する複合機である。なお、画像形成装置２は、複合機に限定されるものではない。
【００１３】
サーバ装置３は、例えば、ＤＥＦ（Digital Front End）装置や、クラウドサーバ装置が該当する。端末装置４は、例えば、パーソナルコンピュータや、タブレット型端末、多機能携帯電話機（スマートフォン）等の携帯情報端末を用いることができる。ネットワーク５は、例えば、ローカルエリアネットワーク（ＬＡＮ）、インターネット、イントラネット等であり、有線でも無線でもよい。
【００１４】
（画像形成装置２の構成）
図２は、画像形成装置２の制御系の一例を示すブロック図である。この画像形成装置２は、各部を制御する制御部２０と、各種のデータを記憶する記憶部２１と、情報の入力及び表示を行う操作表示部２２と、原稿から原稿画像を読み取る画像読取部２４と、画像を印刷出力する画像出力部２５と、外部ファクシミリ装置６に対して公衆回線網７を介してファクシミリ送受信を行うファクシミリ通信部２６と、サーバ装置３及び端末装置４との間でネットワーク５を介して通信するネットワーク通信部２７と、印刷された用紙を排紙する排紙部２８と、を備える。なお、図示はしないが、用紙の給紙を行う給紙部がさらに設けられている。記憶部２１は、記憶手段の一例である。排紙部２８は、排紙手段の一例である。
【００１５】
（制御部２０）
制御部２０は、ＣＰＵ（Central Processing Unit）、インターフェース等から構成されている。ＣＰＵは、記憶部２１に記憶されたプログラム２１０に従って動作することにより、受信手段２００、ＲＩＰ制御手段２０１、検知手段２０２、送信手段２０３、取得手段２０４、更新手段２０５、実行手段２０６、表示制御手段２０７等として機能する。各手段２００〜２０７の詳細については後述する。
【００１６】
（記憶部２１）
記憶部２１は、ＲＯＭ（Read Only Memory）、ＲＡＭ（Random Access Memory）、ハードディスク等から構成され、プログラム２１０やＲＩＰ（Raster Image Processor）ソフトウェア２１４等のプログラムや、ログイン情報２１１、印刷ジョブ情報２１３、画面情報（図３各図参照）等の各種データを記憶する。
【００１７】
（１）ログイン情報２１１
ログイン情報２１１には、操作者（以下、「ユーザ」ともいう。）が画像形成装置２にログインするときにユーザの認証を行うための情報が登録されている。ログイン情報は、例えば、ユーザを識別する識別情報（以下、「ユーザＩＤ」ともいう。）、ユーザの氏名（以下、単に「ユーザ名」ともいう。）、パスワード等を含む。
【００１８】
（２）印刷ジョブ情報２１３
印刷ジョブ情報２１３は、印刷の実行を指示する印刷指示（以下、「印刷ジョブ」又は単に「ジョブ」ともいう。）と、この印刷ジョブを識別する識別情報（「ジョブＩＤ」ともいう。）とを関連付けた情報である。
【００１９】
印刷ジョブは、ジョブの属性が記録されたジョブチケット２１３ａと、画像形成装置２が解釈できるページ記述言語（ＰＤＬ：Page Description Language）で記述されたデータ（以下、単に「印刷データ」、「ジョブデータ」又は「ＰＤＬ」ともいう。）２１３ｂとを含んでいる。
【００２０】
ジョブチケット２１３ａは、例えば、以下の情報を含んで構成される。
（ａ）印刷の対象の属性
・印刷の対象の名称（例えば、ファイル名、文書名等）、
・ユーザ名等の認証情報等
【００２１】
（ｂ）印刷の条件
・両面／片面、
・部数、
・カラーモード、
・面付け（「Ｎ−ｕｐ」ともいう。）、
・印刷の方向（例えば、ポートレートやランドスケープ等）、
・用紙のサイズ、
・ページの設定（とじ白／プリント位置／余白等）等
【００２２】
（ｃ）後処理の条件
・針止め（以下、「ステープル」ともいう。）、
・穴あけ（以下、「パンチ」ともいう。）等
【００２３】
ＰＤＬ２１３ｂには、例えば、ＰＤＦ（Portable Document Format)や、ＰｏｓｔＳｃｒｉｐｔ（登録商標）、ＰＣＬ（Printer Command Language）等の異なる形式で出力される複数の種類が含まれる。
【００２４】
（３）ＲＩＰソフトウェア２１４
ＲＩＰソフトウェア２１４は、印刷データに対するデータ処理を行うプログラムである。具体的には、ＲＩＰソフトウェア２１４は、印刷ジョブに含まれるＰＤＬ２１３ｂをページごとにラスターイメージ２１４ａに変換する。ここで、「ラスターイメージ２１４ａ」とは、１ドット（画素、pixel）単位の点の集まりで構成されたビットマップ形式の印刷用の画像をいう。ＲＩＰソフトウェア２１４は、ＰＤＬ２１３ｂの種類に対応するものが用いられる。
【００２５】
ラスターイメージ２１４ａは、例えば、ＪＰＥＧ（Joint Photographic Experts Group）、ＴＩＦＦ（Tag Image File Format）、ＧＩＦ（Graphics Interchange Format）、ＰＮＧ（Portable Network Graphics）等の形式で生成される。
【００２６】
（４）画面情報２１６
図３は、ジョブを選択する選択画面の一例であり、（ａ）は、中断するジョブを選択する中断ジョブ選択画面、（ｂ）は、再開するジョブを選択する再開ジョブ選択画面である。図３（ａ）に示すように、中断ジョブ選択画面８Ａには、「Ｎｏ．」、「ユーザ名」、「状態」、「ファイル名」、「種別」等の情報を含んで構成されたジョブ一覧８０が表示され、ユーザがジョブ一覧８０に表示された実行中のジョブを選択することによりジョブの実行を中断できるようになっている。
【００２７】
また、図３（ｂ）に示すように、再開ジョブ選択画面８Ｂには、中断している印刷に係るジョブ一覧８１が表示され、ユーザがジョブ一覧８１の操作によって、中断している印刷の実行を再開できるようになっている。
【００２８】
（操作表示部２２）
操作表示部２２は、例えば、タッチパネルディスプレイであり、液晶ディスプレイ等のディスプレイにタッチパネルを重合配置した構成を有する。
【００２９】
（画像読取部２４）
画像読取部２４は、原稿から原稿画像を読み取るものであり、原稿台（不図示）上に設けられた自動原稿送り装置（不図示）と、スキャナ（不図示）とを備え、原稿台に配置された原稿、又は自動原稿送り装置により送られた原稿から原稿画像を光学的に読み取る。
【００３０】
（画像出力部２５）
画像出力部２５は、例えば、電子写真方式、インクジェット方式等によりカラー画像又は白黒画像を用紙等の記録媒体に印刷して出力する。
【００３１】
（ファクシミリ通信部２６）
ファクシミリ通信部２６は、Ｇ３、Ｇ４等のファクシミリプロトコルに従ってデータの変復調を行い、公衆回線網７を介してファクシミリ通信を行う。
【００３２】
（ネットワーク通信部２７）
ネットワーク通信部２７は、ＮＩＣ（Network Interface Card）、Ｗｉ−ＦｉやＢｌｕｅＴｏｏｔｈ（登録商標）等によって実現され、ネットワーク５を介して、サーバ装置３及び端末装置４との間で信号を送受信する。
【００３３】
（排紙部２８）
排紙部２８は、排紙トレイ２８１と、この排紙トレイ２８１に用紙が存在しているか否かを検知する用紙センサ２８０と、を含んで構成される。用紙センサ２８０は、排紙トレイ２８１に排紙された出力用紙が持ち出された（以下、「取り去られた」ともいう。）か否かを検知する機能を有する。
【００３４】
（各手段２００〜２０７）
次に、制御部２０を構成する各手段２００〜２０７の詳細について説明する。受信手段２００は、ユーザの操作に応じた各種の指示を受信する。具体的には、受信手段２００は、印刷ジョブ、印刷の実行の中断を指示する中断指示、中断した印刷の実行の再開を指示する再開指示等を受信する。
【００３５】
ＲＩＰ制御手段２０１は、記憶部２１のＲＩＰソフトウェア２１４を制御して、ラスターイメージ２１４ａを生成させる。
【００３６】
検知手段２０２は、用紙センサ２８０を制御して、排紙トレイ２８１に用紙が存在するか否か、すなわち、用紙が持ち出されたか否かを検知する。送信手段２０３は、サーバ装置３に各種の情報を送信する。
【００３７】
取得手段２０４は、サーバ装置３から各種の情報を取得する。更新手段２０５は、持ち出しページ情報（後述する）を更新する。
【００３８】
実行手段２０６は、画像読取部２４、画像出力部２５、ファクシミリ通信部２６等を制御して、画像形成装置２の機能、すなわち、スキャン機能、プリンタ機能、コピー機能、ファクシミリ機能等の各機能を実行する。
【００３９】
表示制御手段２０７は、操作表示部２２の表示面（不図示）や、端末装置４の表示面（不図示）に画面情報２１６を表示するよう制御する。
【００４０】
（ジョブ管理テーブル３１１）
図４は、ジョブ管理テーブル３１１の一例を示す図である。ジョブ管理テーブル３１１は、実行された印刷の履歴を記録したものである。好ましくは、ジョブ管理テーブル３１１は、サーバ装置３に設けられる。
【００４１】
図４に示すように、ジョブ管理テーブル３１１には、例えば、「ジョブＤ」欄、「ユーザＩＤ」欄、「ファイル名」欄、「印刷装置ＩＤ」欄、「中断情報」欄等が設けられている。「印刷装置ＩＤ」欄には、当該印刷ジョブを実行する画像形成装置２を識別する識別情報が記録される。
【００４２】
「中断情報」には、ジョブの実行が最後まで完了せずに途中で印刷が中断した場合に、印刷の実行がなされた後に排紙部２８に排紙された排紙済みの用紙（以下、「出力用紙」ともいう。）のうち、ユーザが画像形成装置２から持ち出されたと判断される用紙のうち、最後のページ（以下、「持ち出しページ」又は「持ち出し済みページ」ともいう。）に付された当該ページを識別する番号等の情報（以下、単に「ページ数」ともいう。）が記録される。
【００４３】
「中断情報」に記録される持ち出しページを示す情報を、以下、「持ち出しページ情報」ともいう。なお、「中断情報」に記録されるページ数の判断の方法についての詳細は、後述する。持ち出しページ情報は、出力状況情報の一例である。なお、ページ数は、ページがいくつあるかを示す「ページの数」とは異なるものとする。
【００４４】
（実施の形態の動作）
次に、画像形成装置２の動作の一例について説明する。以下、（１）ジョブを中断する動作、及び（２）ジョブを再開する動作に分けてそれぞれ説明する。
【００４５】
（１）ジョブを中断する動作
図５は、画像形成装置２のジョブの中断の動作の一例を示すフローチャートである。受信手段２００は、ユーザの操作に応じて端末装置４から送信される印刷ジョブを受信する。ＲＩＰ制御手段２０１は、ＲＩＰソフトウェア２１４を制御して、印刷ジョブに含まれる印刷データに対してページごとにデータ処理を行う（Ｓ１）。
【００４６】
具体的には、印刷の実行がなされていない残りのページ（以下、単に「残データ」ともいう。）がある場合（Ｓ２：Ｙｅｓ）、検知手段２０２は、用紙センサ２８０を制御して排紙トレイ２８１に排紙された出力用紙を検知することによって、排紙トレイ２８１に出力用紙が存在しているか否か、すなわち、出力用紙が排紙トレイ２８１から取り去られたか否かを判定する出力用紙取り去り判定を行う（Ｓ３）。
【００４７】
排紙トレイ２８１から出力用紙が取り去られた場合（Ｓ４：Ｙｅｓ）、更新手段２０５は、持ち出しページ情報を更新する（Ｓ５）。実行中のジョブの中断指示がなされると（Ｓ６：Ｙｅｓ）、送信手段２０３は、中断情報をサーバ装置３に送信する（Ｓ７）。
【００４８】
（２）ジョブを再開する動作
図６は、画像形成装置２のジョブの再開の動作の一例を示すフローチャートである。受信手段２００は、ジョブの再開を指示する再開指示を受信する（Ｓ１０）。
【００４９】
取得手段２０４は、サーバ装置３から中断情報を取得する（Ｓ１１）。また、中段情報とジョブデータとは対応付けられた状態でサーバ装置３に格納されており、取得手段２０４は、ジョブデータをさらに取得する（Ｓ１２）。
【００５０】
ＲＩＰ制御手段２０１は、中断情報に応じて、持ち出し済みページに到達するまで（Ｓ１４：Ｎｏ）、データをスキップし（Ｓ１３）、持ち出し済みページ以降のページに対してデータ処理を行う（Ｓ１５）。データ処理は、残データがある間（Ｓ１６：Ｙｅｓ）、残りのページに対して順次実行される。持ち出し済みページの次のページは、特定のページの一例である。
【００５１】
（実施例）
次に、図７を参照して、上述した実施の形態に係る一実施例について説明する。図７は、図１に示す画像形成装置２の動作に係る各種の信号の一例を模式的に示すタイミングチャートであり、（ａ）は、ユーザの中断指示により生成される中断指示信号の一例を示すタイミングチャート９０、（ｂ）は、ＰＤＬ２１３ｂからラスターイメージ２１４ａを生成する処理の処理信号の一例を示すタイミングチャート９１、（ｃ）は、出力用紙の排紙に係る排紙動作信号の一例を示すタイミングチャート９２、（ｄ）は、排紙トレイ２８１に排紙された出力用紙の有無を検知する検知信号の一例を示すタイミングチャート９３である。
【００５２】
なお、図中の四角枠で囲んだ数字は、ページ画像を模式的に示している。特に、図（ｂ）及び（ｃ）では、ラスターイメージ２１４ａが生成されたページ画像と、ラスターイメージ２１４ａが生成されていないページ画像と、を区別するために、後者のラスターイメージ２１４ａが生成されていないページ画像を破線枠で示した。
【００５３】
以下では、Ｍ個（Ｍは自然数。例えば、Ｎ＝３０とする）のページからなる文書（名称を「文書Ａ」とする。）に係る印刷ジョブの実行中に印刷を中断した場合を例に挙げて説明する。また、印刷の中断指示は、Ｎ（Ｎは自然数。Ｎ＜Ｍ。例えば、Ｎ＝２１とする）ページ目に対するデータ処理中になされたものとし、印刷の中断指示された時点でＫ（Ｋは自然数。Ｋ＜Ｎ。例えば、Ｋ＝１６とする。）ページ目までの出力用紙が排紙トレイ２８１に排紙されている場合を例に挙げて説明する。
【００５４】
上記の例の場合、以下の流れで処理が実行される。なお、特に記述のない限り、以下の処理は、上述した画像形成装置２の制御部２０の各手段２００〜２０７のいずれかにより行われるものとする。
（１）印刷の実行の指示
１−１．ユーザは、文書Ａを印刷する指示を行う。
１−２．文書Ａに係る印刷データを含む印刷ジョブが画像形成装置２に送信される。
１−３．ユーザは、画像形成装置２にログインする。ＩＤカードを用いてもよく、画像形成装置２の操作表示部２２への操作によってもよい。
１−４．画像形成装置２は、ログイン情報２１１を利用して、ユーザを識別する情報と印刷データとを紐づける。
【００５５】
（２）印刷の実行の開始
２−１．ユーザは、画像形成装置２に対して、ジョブ一覧８０の表示を指示する。
２−２．画像形成装置２は、ユーザと紐づけられたジョブの一覧を表示する。
２−３．ユーザは操作表示部２２の操作パネル（不図示）からジョブ一覧８０に表示されている「文書Ａ」を選択し、印刷の開始を指示する。
２−４．画像形成装置２は文書Ａの印刷の実行を開始する。
【００５６】
（３）印刷の中断
３−１．ユーザは、印刷の中断を指示する。以下、Ｎページ目（例えば、２１ページ目）の処理中に印刷の中断が指示された場合を例に説明する。図７（ａ）に示すように、受信手段２００が中断指示を受信すると、中断指示信号が生成される（付番「９００」参照）。
【００５７】
３−２．Ｎページ目（例えば、２１ページ目）の処理中に中断指示を受信した場合、図７（ｂ）に示すように、画像形成装置２は、Ｎページ目（例えば、２１ページ目）のラスターイメージ２１４ａの生成を途中で中断する（付番「９１０」参照）。換言すれば、（Ｎ−１）ページ目（例えば、２０ページ目）までのラスターイメージ２１４ａの生成が完了している（図７（ｂ）の実線枠参照）。
【００５８】
３−３．この時点、すなわち中断指示を受信した時点で、排紙トレイ２８１に出力された出力用紙が、例えば、Ｋ枚（例えば、１６枚。なお、説明の便宜上、１つのページが１枚の用紙に印刷されているものとするが、必ずしもこれに限定されるものではない。）である場合、図７（ｃ）に示すように、処理済みである１７〜２０ページ目に対して、Ｋページ目（例えば、１６ページ目）までの動作に継続して印刷の実行及び出力用紙の排紙トレイ２８１への排紙が行われる（付番「９２０」参照）。なお、「処理済み」とは、ラスターイメージ２１４ａが生成されていることをいう。
【００５９】
（４）出力用紙の持ち出し
４−１．ユーザは中断の指示を行った後に排紙済みの１〜Ｋページ目（例えば、１６ページ目）に係る出力用紙を排紙トレイ２８１から取り去り、画像形成装置２から離れる。
【００６０】
４−２．画像形成装置２は、排紙トレイ２８１から出力用紙が取り去られたことを検知することにより（図７（ｄ）の付番「９３０」参照。）、Ｋページ目（例えば、１６ページ目）に係る出力用紙までをユーザが持ち出したと判断する。
【００６１】
４−３．ユーザ情報と関連付けて、文書ＡがＫページ目（例えば、１６ページ目）に係る出力用紙まで持ち出されたとする持ち出しページ情報を中断情報として記録する。なお、中断情報は、排紙トレイ２８１から出力用紙が取り去られたことが検知されるごとに更新されるようになっており（付番「９３１」や「９３２」参照）、具体的には、残りの（Ｋ＋１）ページ目（例えば、１７ページ目）から（Ｎ−１）ページ目（例えば、２０ページ目）の出力用紙うちいずれかが排紙された時点で取り去られたことが検知された場合、当該取り去られた出力用紙のうちの最後のページが新たな中断情報として記録される。
【００６２】
４−４．ユーザは、１〜Ｋページ目（例えば、１６ページ目）に係る出力用紙を所持して移動する。
【００６３】
（５）持ち出し後の処理
５−１．画像形成装置２は、（Ｋ＋１）ページ目〜（Ｎ−１）ページ目（例えば、１７〜２０ページ目）に係る出力用紙の排紙を継続する。
【００６４】
５−２．排紙トレイ２８１に（Ｋ＋１）ページ目〜（Ｎ−１）ページ目（例えば、１７〜２０ページ目）の出力用紙が排紙される。
【００６５】
（６）印刷の再開
６−１．ユーザは、画像形成装置２にログインする。上述した画像形成装置２と同一の画像形成装置２にログインしてもよく、他の画像形成装置２（例えば、外出先に設けられている画像形成装置２等）にログインしてもよい。
【００６６】
６−２．画像形成装置２は、ログイン情報２１１に応じて、ユーザに紐づいた中断ジョブ（すなわち、文書Ａの印刷に係るジョブ）が存在すると判断する。
【００６７】
６−３．ユーザは、中断中の文書Ａに係るジョブの再開を指示する。
６−４．画像形成装置２は、ジョブ管理テーブル３１１に文書Ａに関連付けて記録されている中断情報（本実施例では、具体的には、Ｋページ目（例えば、１６ページ目）であることを示す記録）に応じて、１〜Ｋページ目（例えば、１６ページ目）までを読み飛ばし、（Ｋ＋１）ページ目（例えば、１７ページ目）から処理（ＰＤＬ２１３ｂをラスターイメージ２１４ａに変換する処理）を再開する。
【００６８】
６−５．ユーザは、画像形成装置２による印刷が完了したことを確認し、（Ｋ＋１）ページ目〜Ｍページ目（すなわち、１７〜３０ページ目）に係る出力用紙を取得する。この（Ｋ＋１）ページ目〜Ｍページ目（すなわち、１７〜３０ページ目）に係る出力用紙を、上述した中断のときに取得した１〜Ｋページ目（例えば、１６ページ目）に係る出力用紙と併せて、文書Ａの１〜Ｍページ目（すなわち、３０ページ目）に係る全ての出力用紙を重複せずに得る。
【００６９】
以上、本発明の実施の形態を説明したが、本発明の実施の形態は上記実施の形態に限定されるものではなく、本発明の要旨を変更しない範囲内で種々の変形、実施が可能である。例えば、画像形成装置２の制御部２０の各手段２００〜２０７の一部又は全てをサーバ装置３の制御部（不図示）内に設けてもよい。また、画像形成装置２の記憶部２１に記憶している各種データをサーバ装置３に記憶してもよい。また、サーバ装置３に設けたジョブ管理テーブル３１１は、画像形成装置２の記憶部２１に設けてもよい。
【００７０】
また、用紙センサ２８０は必ずしも設けなくてもよく、例えば、ユーザの操作により出力用紙を持ち出されたことを画像形成システム１に認識させる認識手段（例えば、操作釦等）を設けてもよい。
【００７１】
また、用紙センサ２０８を設ける場合、出力用紙の検知を行う時期は、残データがある場合（図５に示したステップＳ２参照。）に必ずしも限定されるものではなく、その他の予め定められた時期に出力用紙の検知をしてもよい。その他の「予め定められた時期」には、例えば、ユーザがログアウトしたとき、すなわち、認証が解除されたときや、次の異なるジョブに係る印刷が実行されたとき、等を含めてよい。
【００７２】
また、再開指示に応じて途中から印刷を再開するとき、中断した最後のページ画像や、再開するページ画像のプレビュー画面を表示してもよい。すなわち、表示制御手段２０７は、印刷を再開するとき、中断した最後のページ画像や、再開するページ画像のプレビュー画面を、例えば、画像形成装置２の操作表示部２２の表示面や端末装置４の表示面に表示するよう制御してもよい。プレビュー画面は、見本画面の一例である。
【００７３】
また、表示制御手段に制御により上記の表示面に表示されたプレビュー画面に対するユーザの操作により、再開するページを変更できるようにしてもよい。すなわち、画像形成システム１は、プレビュー画面に対するユーザの操作に応じて再開するページを変更する第１の変更手段をさらに備えてもよい。第１の変更手段は、変更手段の一例である。変更後のページは、「別のぺージ」の一例である。
【００７４】
また、印刷を再開する場合、上述した印刷の条件を変更できるようにしてもよい。すなわち、画像形成システム１は、印刷を再開する場合に、中断した印刷に付された印刷の条件を変更する第２の変更手段をさらに備えてもよい。印刷を中断した画像形成装置２と異なる画像形成装置２で印刷を再開する場合に特に有効である。
【００７５】
制御部２０の各手段は、それぞれ一部又は全部を再構成可能回路（ＦＰＧＡ：Field Programmable Gate Array）、特定用途向け集積回路（ＡＳＩＣ：Application Specific Integrated Circuit）等のハードウエア回路によって構成してもよい。
【００７６】
また、本発明の要旨を変更しない範囲内で、上記実施の形態の構成要素の一部を省くことや変更することが可能である。また、本発明の要旨を変更しない範囲内で、上記実施の形態のフローにおいて、ステップの追加、削除、変更、入替え等が可能である。また、上記実施の形態で用いたプログラムをＣＤ−ＲＯＭ等のコンピュータ読み取り可能な記録媒体に記録して提供することができ、クラウドサーバ等の外部サーバに格納しておき、ネットワークを介して利用することもできる。
【符号の説明】
【００７７】
１…画像形成システム
２…画像形成装置
２０… 制御部
２００…受信手段
２０１…ＲＩＰ制御手段
２０２…検知手段
２０３…送信手段
２０４…取得手段
２０５…更新手段
２０６…実行手段
２０７…表示制御手段
２０８…用紙センサ
２１… 記憶部
２１０…プログラム
２１１…ログイン情報
２１３…印刷ジョブ情報
２１３ａ…ジョブチケット
２１４…ＲＩＰソフトウェア
２１４ａ…ラスターイメージ
２１６…画面情報
２２…操作表示部
２４…画像読取部
２５…画像出力部
２６…ファクシミリ通信部
２７…ネットワーク通信部
２８…排紙部
２８０…用紙センサ
２８１…排紙トレイ
３…サーバ装置
３１１…ジョブ管理テーブル
４…端末装置
５…ネットワーク
６…外部ファクシミリ装置
７…公衆回線網
８Ａ…中断ジョブ選択画面
８Ｂ…再開ジョブ選択画面
８０…ジョブ一覧
８１…ジョブ一覧（中断中）
【図１】
2020170212.tif 000003
【図２】
2020170212.tif 000004
【図３】
2020170212.tif 000005
【図４】
2020170212.tif 000006
【図５】
2020170212.tif 000007
【図６】
2020170212.tif 000008
【図７】
2020170212.tif 000009